(57)【要約】【課題】表示手段用の電源等の回路を不要とし、さらに省エネ性の改善を図ることが出来る空気調和機を提供することを目的とする。【解決手段】送風手段４を駆動する駆動手段６の中心に位置する軸受け１０方向に対して平行方向に位置する外郭面に取り付けられ、外郭に対して一定の長さだけ長い振動板８と、駆動手段６の軸受け１０方向に対して垂直方向の外郭面に取り付けられた振動検出手段９と、振動検出手段９からの信号を変換する変換手段１１と、変換手段１１に接続され、運転状態を表示するための表示手段７とを設け、駆動手段６から発生する振動により、振動板８が駆動手段６の軸受け１０方向に向かって振動することで、振動板８の先端部が駆動手段６の振動を増幅し、増幅した振動により、振動検出手段９に振動を与えて検出された信号を変換手段１１により変換し、表示手段７に通電する。【選択図】図２
2013083412.tif 000002
【特許請求の範囲】
【請求項１】
吹出口と吸込口を有する本体と、この本体内に設けた空気清浄手段と、前記吸込口から室内の空気を前記空気清浄手段を介して前記本体内に吸気し、前記吹出口より室内に吹出す風路に送風手段と、前記送風手段を駆動するための駆動手段とを備えた空気調和機において、前記駆動手段の中心に位置する軸受け方向に対して平行方向に位置する外郭面に取り付けられ、外郭に対して一定の長さだけ長い振動板と、前記駆動手段の前記軸受け方向に対して垂直方向の外郭面に取り付けられた振動検出手段と、前記振動検出手段からの信号を変換する変換手段と、前記変換手段に接続され、運転状態を表示するための表示手段とを設け、前記駆動手段から発生する振動により、前記振動板が前記駆動手段の軸受け方向に向かって振動することで、前記振動板の先端部が前記駆動手段の振動を増幅し、増幅した振動により、前記振動検出手段に振動を与えて検出された信号を前記変換手段により変換し、前記表示手段に通電することを特徴とする空気調和機。
【請求項２】
振動検出手段として、圧電素子を用いることを特徴とする請求項１記載の空気調和機。
【請求項３】
振動検出手段を、振動板の先端の両端の振動を検出できるように配置することを特徴とする請求項１記載の空気調和機。
【請求項４】
振動板を複数配置することを特徴とする請求項１記載の空気調和機。
【請求項５】
振動検出手段、変換手段、表示手段は、商用電源から独立していることを特徴とする請求項１記載の空気調和機。
【発明の詳細な説明】
【技術分野】
【０００１】
本発明は、一般家庭や事務所等で使用され、製品から発生する振動による運動エネルギーを利用するような空気調和機に関するものである。
【背景技術】
【０００２】
従来、この種の製品には、円筒形状であって、底部を有する水槽と、水槽内に配置され、円筒形状であって底部を有し、洗濯及び脱水を行う回転ドラムと、水槽の振動を利用して発電する圧電素子と、水槽の振動を圧電素子に伝達するための振動伝達部と、圧電素子で発生した電気を貯める蓄電部と、蓄電部に貯めた電気を取り出し可能なコンセントとを備え、振動伝達部は、一端が水槽に固定された棒状部と、棒状部の他端に設けられた球状部とを有し、球状部は、複数の圧電素子によって囲まれているという構成において、動作時に発生するエネルギーを有効に利用することが可能な洗濯機があった（例えば、特許文献１）。
【先行技術文献】
【特許文献】
【０００３】
【特許文献１】特開２０１０−２８８４２７号公報
【発明の概要】
【発明が解決しようとする課題】
【０００４】
上記のような従来の方法では、コンプレッサー搭載機器や、洗濯機の水槽等の大きな振動がられるような製品では効果的な発電量を得ることが出来たが、一般家庭で使用されるような空気調和機、空気清浄機等では、コンプレッサー搭載機器、洗濯機等と比較して効果的な発電量が得られないという課題があった。
【０００５】
そこで、本発明は、上記課題を解決するものであり、一般家庭で使用する空気調和機等に搭載されるモーター外郭に振動を増幅するように振動板を取り付けることで、従来のモーターで効果的に振動を検出し、発電し、発電した電力により、商用電源から独立した状態で表示ＬＥＤ等を点灯させることが可能となることで、ＬＥＤ駆動用の電源等の回路を不要とし、さらに省エネ性の改善を図ることを目的とする。
【課題を解決するための手段】
【０００６】
この目的を達成するために、吹出口と吸込口を有する本体と、この本体内に設けた空気清浄手段と、前記吸込口から室内の空気を前記空気清浄手段を介して前記本体内に吸気し、前記吹出口より室内に吹出す風路に送風手段と、前記送風手段を駆動するための駆動手段とを備えた空気調和機において、前記駆動手段の中心に位置する軸受け方向に対して平行方向に位置する外郭面に取り付けられ、外郭に対して一定の長さだけ長い振動板と、前記駆動手段の前記軸受け方向に対して垂直方向の外郭面に取り付けられた振動検出手段と、前記振動検出手段からの信号を変換する変換手段と、前記変換手段に接続され、運転状態を表示するための表示手段とを設け、前記駆動手段から発生する振動により、前記振動板が前記駆動手段の軸受け方向に向かって振動することで、前記振動板の先端部が前記駆動手段の振動を増幅し、増幅した振動により、前記振動検出手段に振動を与えて検出された信号を前記変換手段により変換し、前記表示手段に通電することとしたものである。
【発明の効果】
【０００７】
本発明によれば、一般家庭で使用する空気調和機等に搭載されるモーター外郭に振動を増幅するように振動板を取り付けることで、モーターの振動をより大きく検出し、発電し、発電した電力により、商用電源から独立した状態で表示ＬＥＤ等を点灯させることが可能となることで、ＬＥＤ駆動用の電源等の回路を不要とし、さらに省エネ性の改善を図ることが出来る。
【図面の簡単な説明】
【０００８】
【図１】本発明の実施の形態１の空気調和機の構成図
【図２】本発明の駆動手段周辺の構成図
【図３】同空気調和機の制御回路の構成を示した図
【図４】変換手段の構成を示した簡略図
【図５】本発明の実施の形態１の空気清浄機の運転動作を示すフローチャート
【発明を実施するための形態】
【０００９】
請求項１記載の空気調和機の発明は、吹出口と吸込口を有する本体と、この本体内に設けた空気清浄手段と、前記吸込口から室内の空気を前記空気清浄手段を介して前記本体内に吸気し、前記吹出口より室内に吹出す風路に送風手段と、前記送風手段を駆動するための駆動手段とを備えた空気調和機において、前記駆動手段の中心に位置する軸受け方向に対して平行方向に位置する外郭面に取り付けられ、外郭に対して一定の長さだけ長い振動板と、前記駆動手段の前記軸受け方向に対して垂直方向の外郭面に取り付けられた振動検出手段と、前記振動検出手段からの信号を変換する変換手段と、前記変換手段に接続され、運転状態を表示するための表示手段とを設け、前記駆動手段から発生する振動により、前記振動板が前記駆動手段の軸受け方向に向かって振動することで、前記振動板の先端部が前記駆動手段の振動を増幅し、増幅した振動により、前記振動検出手段に振動を与えて検出された信号を前記変換手段により変換し、前記表示手段に通電する構成としたものであり、一般家庭で使用する空気調和機等に搭載されるモーター外郭に振動を増幅するように振動板を取り付けることで、従来のモーターで効果的に振動を検出し、発電し、発電した電力により、商用電源から独立した状態で表示ＬＥＤ等を点灯させることが可能となることで、ＬＥＤ駆動用の電源等の回路を不要とし、さらに省エネ性の改善を図ることが出来るという効果を有する。
【００１０】
請求項２記載の空気調和機の発明は、振動検出手段として、圧電素子を用いる構成としたものであり、振動板の僅かな振動でも信号を検出することが出来るという効果を有する。
【００１１】
請求項３記載の空気調和機の発明は、振動板を複数配置する構成としてものであり、より多くの信号を効果的に検出することが出来るという効果を有する。
【００１２】
請求項４記載の空気調和機の発明は、振動検出手段、変換手段、表示手段は、商用電源から独立している構成としているものであり、表示手段用の電源等の回路を不要とし、さらに省エネ性の改善を図ることが出来るという効果を有する。
【００１３】
以下、本発明の実施の形態について図面を参照しながら説明する。
【００１４】
（実施の形態１）
図１〜３に示すように、空気調和機の本体１は、床、棚上等の平面部分（又は、壁等でも良い）に配置され、本体１の側面側に、吸込口２と、本体１の上部に吹出口３と、本体１のケース内に吸込口２から送風手段４により吸い込んだ空気を清浄化し吹出口３から室内へ吹き出すための空気清浄手段５と、送風手段４を動かすための駆動手段６と、本体の正面に位置し、運転状態を表示する表示手段７とを備えた空気調和機において、駆動手段６の中心に位置する軸受け１０方向に対して平行方向に位置する外郭面に取り付けられ、外郭に対して一定の長さだけ長い振動板８と、駆動手段６の軸受け１０方向に対して垂直方向の外郭面に取り付けられた振動検出手段９と、表示手段７に接続し、振動検出手段９からの信号を変換する変換手段１１とを設けた構成とする。
【００１５】
ここで、振動検出手段９と変換手段１１と表示手段７は電気的に接続されているものとする。
【００１６】
上記構成において、空気調和機の本体１が、駆動手段６により振動板８に発生する振動を振動検出手段９により検出し、検出した信号を変換手段１１で変換し、表示手段７に通電するまでの動作を図４、５を用いて説明する。
【００１７】
ＳＴＥＰ１〜３では、空気調和機の本体１が、運転開始した場合、駆動手段６が動作する。
【００１８】
駆動手段６が動作することで生じる振動の影響を受けて、駆動手段６に取り付けられた振動板８が振動する。駆動手段６が軸受け１０方向に向かって振動することで、振動板８の先端部が振動を増幅し、増幅した振動により、振動検出手段９に振動を与えることで、駆動手段６の振動を電気信号として検出し、発電することが出来る。
【００１９】
ここで、駆動手段６として、電磁力を応用して、電気エネルギーを機械エネルギーに変換する装置であるモーター等が望ましい。
【００２０】
また、振動検出手段９として、力又は歪を加えることにより電荷を発生する特性をもつ圧電素子が望ましい。
【００２１】
ＳＴＥＰ４〜７では、振動検出手段９により検出された信号が変換手段１１に入力され、
入力された信号を変換手段１１により充電し、充電した電荷を、表示手段７に放電することで、（運転）表示ＬＥＤに通電され、（運転）表示ＬＥＤが点灯する。
【００２２】
ここで、変換手段１１としては、図５に示すようなダイオード１３と、電解を充放電するための（電解）コンデンサ１４と、表示手段７の電流を制限するための制限抵抗１５で構成されるものが望ましい。また、表示手段７は、白熱球等に対して低消費電力で発光可能であるＬＥＤが望ましい。
【産業上の利用可能性】
【００２３】
本発明にかかる空気調和機は、モーター外郭に振動を増幅するように振動板を取り付けることで、従来のモーターで効果的に振動を検出し、発電し、発電した電力により、商用電源から独立した状態で表示ＬＥＤ等を点灯させることで、ＬＥＤ駆動用の電源等の回路を不要とし、さらに省エネ性の改善を図ることが出来るものであり、一般家庭や事務所等で使用される空気調和機に有用である。
【符号の説明】
【００２４】
１．本体
２．吸込口
３．吹出口
４．送風手段
５．空気清浄手段
６．駆動手段
７．表示手段
８．振動板
９．振動検出手段
１０．軸受け
１１．変換手段
１３．ダイオード
１４．コンデンサ
１５．制限抵抗
【図１】
2013083412.tif 000003
【図２】
2013083412.tif 000004
【図３】
2013083412.tif 000005
【図４】
2013083412.tif 000006
【図５】
2013083412.tif 000007